【手続補正書】
【提出日】平成30年8月13日(2018.8.13)
【手続補正１】
【補正対象書類名】明細書
【補正対象項目名】００２６
【補正方法】変更
【補正の内容】
【００２６】
本明細書中に引用される刊行物の完全な開示は、それぞれが個々に組み込まれたかのように、その全体が参照により組み込まれる。本発明の範囲及び趣旨を逸脱せずに、本発明の様々な修正及び改善が当業者には明らかとなるであろう。本発明は、本明細書に説明されている発明の例示的な実施形態及び実施例によって不当に制限されるものではなく、そのような実施例及び実施形態は例としてのみ提示されるものであり、本発明の範囲は、以下に説明される特許請求の範囲によってのみ制限されるものであることを理解すべきである。本発明の実施態様の一部を以下の［項目１］−［項目１７］に記載する。
［項目１］
ＬＣＤバックライトユニットであって、
（ａ）支持構造体と、
（ｂ）ダウンコンバージョンフィルム要素と、
（ｃ）青色ＬＥＤとを備え、
前記支持構造体は、少なくとも前記ダウンコンバージョンフィルム要素に隣接する縁部上に青色光吸収体／赤色光及び緑色光反射体を備える、ＬＣＤバックライトユニット。
［項目２］
ＬＣＤバックライトユニットであって、
（ａ）ダウンコンバージョンフィルム要素と、
（ｂ）青色光吸収体／赤色光及び緑色光反射体を備える少なくとも１つの縁部を有する導光体と、
（ｃ）青色ＬＥＤとを備える、ＬＣＤバックライトユニット。
［項目３］
ＬＣＤバックライトユニットであって、
（ａ）光方向変換フィルムと、
（ｂ）ダウンコンバージョンフィルム要素と、
（ｃ）青色ＬＥＤと、
（ｄ）青色光吸収体／赤色光及び緑色光反射体と
を備え、前記青色光吸収体／赤色光及び緑色光反射体は、前記光方向変換フィルムの縁部又は前記ダウンコンバージョンフィルム要素の縁部に重なる、ＬＣＤバックライトユニット。
［項目４］
前記支持構造体は黄色のプラスチックを含む、項目１に記載のバックライトユニット。
［項目５］
前記青色光吸収体／赤色光及び緑色光反射体は、黄色の、被膜、塗料、又はインクである、項目１〜３のいずれか一項に記載のバックライトユニット。
［項目６］
前記青色光吸収体／赤色光及び緑色光反射体は、黄色の、フィルム又はテープである、項目１〜３のいずれか一項に記載のバックライトユニット。
［項目７］
前記青色光吸収体／赤色光及び緑色光反射体は、青色光吸収体と組み合わされた、赤色光及び緑色光のみを反射するように調整された多層光学フィルムである、項目１〜３のいずれか一項に記載のバックライトユニット。
［項目８］
前記ダウンコンバージョンフィルム要素は量子ドットフィルムである、項目１〜７のいずれか一項に記載のバックライトユニット。
［項目９］
エッジライト型である、項目１〜８のいずれか一項に記載のバックライトユニット。
［項目１０］
可視エリアを有するＬＣＤバックライトユニットの全体にわたって色の均一性を改善する方法であって、前記可視エリアの少なくとも１つの縁部において赤色光及び緑色光を反射する一方で青色光吸収を増加させることを含み、
前記ＬＣＤバックライトユニットは、ダウンコンバージョンフィルム要素と、青色ＬＥＤとを備える、方法。
［項目１１］
前記ＬＣＤバックライトユニットは、支持構造体を更に備え、前記可視エリアの少なくとも１つの縁部において赤色光及び緑色光を反射する一方で青色光吸収を増加させることは、前記ダウンコンバージョンフィルム要素に隣接する前記支持構造体の縁部に青色光吸収体／赤色光及び緑色光反射体を適用することを含む、項目１０に記載の方法。
［項目１２］
前記ＬＣＤバックライトユニットは導光体を更に備え、前記可視エリアの少なくとも１つの縁部において赤色光及び緑色光を反射する一方で青色光吸収を増加させることは、前記導光体の少なくとも１つの縁部に青色光吸収体／赤色光及び緑色光反射体を適用することを含む、項目１０に記載の方法。
［項目１３］
前記ＬＣＤバックライトユニットは光方向変換フィルムを更に備え、前記可視エリアの少なくとも１つの縁部において赤色光及び緑色光を反射する一方で青色光吸収を増加させることは、前記光方向変換フィルムの前記縁部又は前記ダウンコンバージョンフィルム要素の前記縁部に重ねて青色光吸収体／赤色光及び緑色光反射体を適用することを含む、項目１０に記載の方法。
［項目１４］
前記青色光吸収体／赤色光及び緑色光反射体は、黄色の、被膜、塗料、又はインクである、項目１１〜１３のいずれか一項に記載の方法。
［項目１５］
前記青色光吸収体／赤色光及び緑色光反射体は、黄色の、フィルム又はテープである、項目１１〜１３のいずれか一項に記載の方法。
［項目１６］
前記青色光吸収体／赤色光及び緑色光反射体は、青色光吸収体と組み合わされた、赤色光及び緑色光のみを反射するように調整された多層光学フィルムである、項目１１〜１３のいずれか一項に記載の方法。
［項目１７］
前記ダウンコンバージョンフィルム要素は量子ドットフィルムである、項目１０〜１６のいずれか一項に記載の方法。
【手続補正２】
【補正対象書類名】特許請求の範囲
【補正対象項目名】全文
【補正方法】変更
【補正の内容】
【特許請求の範囲】
【請求項１】
ＬＣＤバックライトユニットであって、
（ａ）支持構造体と、
（ｂ）ダウンコンバージョンフィルム要素と、
（ｃ）青色ＬＥＤとを備え、
前記支持構造体は、少なくとも前記ダウンコンバージョンフィルム要素に隣接する縁部上に青色光吸収体／赤色光及び緑色光反射体を備える、ＬＣＤバックライトユニット。
【請求項２】
ＬＣＤバックライトユニットであって、
（ａ）ダウンコンバージョンフィルム要素と、
（ｂ）青色光吸収体／赤色光及び緑色光反射体を備える少なくとも１つの縁部を有する導光体と、
（ｃ）青色ＬＥＤとを備える、ＬＣＤバックライトユニット。
【請求項３】
ＬＣＤバックライトユニットであって、
（ａ）光方向変換フィルムと、
（ｂ）ダウンコンバージョンフィルム要素と、
（ｃ）青色ＬＥＤと、
（ｄ）青色光吸収体／赤色光及び緑色光反射体と
を備え、前記青色光吸収体／赤色光及び緑色光反射体は、前記光方向変換フィルムの縁部又は前記ダウンコンバージョンフィルム要素の縁部に重なる、ＬＣＤバックライトユニット。
【請求項４】
可視エリアを有するＬＣＤバックライトユニットの全体にわたって色の均一性を改善する方法であって、前記可視エリアの少なくとも１つの縁部において赤色光及び緑色光を反射する一方で青色光吸収を増加させることを含み、
前記ＬＣＤバックライトユニットは、ダウンコンバージョンフィルム要素と、青色ＬＥＤとを備える、方法。
【請求項５】
前記ＬＣＤバックライトユニットは、支持構造体を更に備え、前記可視エリアの少なくとも１つの縁部において赤色光及び緑色光を反射する一方で青色光吸収を増加させることは、前記ダウンコンバージョンフィルム要素に隣接する前記支持構造体の縁部に青色光吸収体／赤色光及び緑色光反射体を適用することを含む、請求項４に記載の方法。
【請求項６】
前記ＬＣＤバックライトユニットは導光体を更に備え、前記可視エリアの少なくとも１つの縁部において赤色光及び緑色光を反射する一方で青色光吸収を増加させることは、前記導光体の少なくとも１つの縁部に青色光吸収体／赤色光及び緑色光反射体を適用することを含む、請求項４に記載の方法。
【請求項７】
前記ＬＣＤバックライトユニットは光方向変換フィルムを更に備え、前記可視エリアの少なくとも１つの縁部において赤色光及び緑色光を反射する一方で青色光吸収を増加させることは、前記光方向変換フィルムの前記縁部又は前記ダウンコンバージョンフィルム要素の前記縁部に重ねて青色光吸収体／赤色光及び緑色光反射体を適用することを含む、請求項４に記載の方法。